(57)【特許請求の範囲】
【請求項１】
物品の重要度を判定する重要度判定ツールであって、
縦横に複数のマス目を有する表が表示されたボードと、
判定の対象となる物品が表示された駒と、を備え、
該ボードの該マス目の縦横の一方の軸には、物品の使用頻度を表す複数の区分が表示され、
該ボードの該マス目の縦横の他方の軸には、物品の必要度を表す複数の区分が表示され、
物品の使用頻度と必要度とに対応する該マス目に該駒を配置することで、該物品の重要度を判定できることを特徴とする重要度判定ツール。
【請求項２】
該駒は、物品が表示されたカードであることを特徴とする請求項１記載の重要度判定ツール。
【請求項３】
重要度の高いマス目と重要度の低いマス目とには、それぞれ異なる色又は柄が付されており、重要度の高低を視覚的に判定できることを特徴とする請求項１又は請求項２記載の重要度判定ツール。
【発明の詳細な説明】
【技術分野】
【０００１】
本発明は、物品の重要度を判定する際に用いられる重要度判定ツールに関する。
【背景技術】
【０００２】
災害等によるライフラインの停止に備えて、各家庭や自治体、企業等では、水や食料（非常食）、医薬品、その他の必要物資を備蓄する動きが広まっている。備蓄対象としては、生命の維持に必要不可欠な水や食料等の他、各個人のライフスタイルに合わせた物品が選択される。選択された物品は、例えば、災害時の持ち運びが容易な収容ボックス等に収容して保管される（例えば、特許文献１参照）。
【先行技術文献】
【特許文献】
【０００３】
【特許文献１】特開２０１０−６４０１号公報
【発明の概要】
【発明が解決しようとする課題】
【０００４】
上述した備蓄対象の物品を選択する方法としては、例えば、その日に使用した物品やその週に使用した物品等を思い出しながら列挙する方法が考えられる。しかしながら、過去に使用した物品を漏らさず思い出すのは必ずしも容易でない。また、この方法では、備蓄する必要のない物品まで列挙されてしまうという問題がある。
【０００５】
本発明はかかる問題点に鑑みてなされたものであり、その目的とするところは、物品の重要度を簡単に判定できる重要度判定ツールを提供することである。
【課題を解決するための手段】
【０００６】
本発明の一態様によれば、物品の重要度を判定する重要度判定ツールであって、縦横に複数のマス目を有する表が表示されたボードと、判定の対象となる物品が表示された駒と、を備え、該ボードの該マス目の縦横の一方の軸には、物品の使用頻度を表す複数の区分が表示され、該ボードの該マス目の縦横の他方の軸には、物品の必要度を表す複数の区分が表示され、物品の使用頻度と必要度とに対応する該マス目に該駒を配置することで、該物品の重要度を判定できる重要度判定ツールが提供される。
【０００７】
本発明の一態様において、該駒は、物品が表示されたカードであっても良い。
【０００８】
また、本発明の一態様において、重要度の高いマス目と重要度の低いマス目とには、それぞれ異なる色又は柄が付されており、重要度の高低を視覚的に判定できることが好ましい。
【発明の効果】
【０００９】
本発明の一態様に係る重要度判定ツールは、縦横に複数のマス目を有する表が表示されたボードと、判定の対象となる物品が表示された駒と、を備え、マス目の縦横の一方の軸は、物品の使用頻度を表し、マス目の縦横の他方の軸は、物品の必要度を表すので、物品の使用頻度と必要度に対応するマス目に駒を配置するだけで、物品の重要度を簡単に判定できる。
【図面の簡単な説明】
【００１０】
【図１】重要度判定ツールの構成例を模式的に示す平面図である。
【図２】重要度判定ツールの使用態様を模式的に示す平面図である。
【図３】図３（Ａ）は、第１変形例に係るカードを模式的に示す平面図であり、図３（Ｂ）は、第２変形例に係るカードを模式的に示す平面図である。
【発明を実施するための形態】
【００１１】
添付図面を参照して、本発明の一態様に係る実施形態について説明する。図１は、重要度判定ツールの構成例を模式的に示す平面図である。図１に示すように、重要度判定ツール２は、１枚のボード４と、複数のカード（駒）６とで構成されている。ボード４及びカード６は、それぞれ、木材、紙、樹脂、金属等の材料で形成されており、それらの表面には、物品の重要度を判定するために必要な各種の情報が表示されている。
【００１２】
ボード４の表面には、縦軸方向及び横軸方向に複数のマス目を配列した格子状の表８が表示されている。表８の縦軸（第１の軸、縦横の一方の軸）１０は、例えば、判定の対象となる物品の使用頻度を表しており、表８の横軸（第２の軸、縦横の他方の軸）１２は、例えば、判定の対象となる物品の必要度を表している。ただし、縦軸１０と横軸１２との表示内容を入れ替えることもできる。すなわち、縦軸１０に物品の必要度を表示し、横軸１２に物品の使用頻度を表示しても良い。
【００１３】
本実施形態では、４パターンの使用頻度（「常に使う」「１日に数回使う」「１週間に数回使う」「１ヶ月に数回使う」）に合わせて縦軸１０を４つに区分し、４パターンの必要度（「（無いと）我慢できない」「（無いと）やや我慢できない」「（無くても）やや我慢できる」「（無くても）我慢できる」）に合わせて横軸１２を４つに区分している。ただし、縦軸１０及び横軸１２を区分する態様に制限はない。区分の数を増減しても良いし、区分の内容を変更することもできる。
【００１４】
表を構成する各マス目８ａ，８ｂ，８ｃには、物品の重要度に応じて異なる柄が付されている。例えば、重要度が低いマス目８ａには、第１の柄（無地）が付されており、重要度が中程度のマス目８ｂには、第２の柄（斜線パターン）が付されており、重要度が高いマス目８ｃには、第３の柄（網掛けパターン）が付されている。このように、各マス目８ａ，８ｂ，８ｃに対して物品の重要度に応じた異なる柄を付すことで、重要度の高低を視覚的に判定できるようになる。
【００１５】
なお、本実施形態では、物品の重要度を低中高の３段階に分けているが、重要度の区分の態様に制限はない。例えば、重要度の区分の数を増減しても良い。また、各マス目８ａ，８ｂ，８ｃには、物品の重要度に応じて異なる色（第１の色、第２の色、第３の色）を付すこともできる。この場合にも、重要度の高低を視覚的に判定できる。
【００１６】
ここで、重要度の区分は、通常、物品の使用頻度及び必要度に応じて設定される。本実施形態では、必要度が「我慢できない」で、使用頻度が「常に使う」「１日に数回使う」「１週間に数回使う」の場合、及び、必要度が「やや我慢できない」で、使用頻度が「常に使う」「１日に数回使う」の場合の重要度を高く設定している。
【００１７】
また、必要度が「我慢できない」で、使用頻度が「１ヶ月に数回使う」の場合、必要度が「やや我慢できない」で、使用頻度が「１週間に数回使う」の場合、及び、必要度が「やや我慢できる」で、使用頻度が「常に使う」の場合の重要度を中程度に設定している。そして、それ以外の場合の重要度を低く設定している。ただし、重要度の設定の態様にも制限はない。
【００１８】
各カード６の表面には、判定の対象となる物品が表示されている。例えば、カード（駒）６ａには、「現金」を表す絵柄及び文字が示されている。また、カード（駒）６ｂには、「トイレ」を表す絵柄及び文字が示されている。更に、カード（駒）６ｃには、「くすり」を表す絵柄及び文字が示されている。同様に、カード（駒）６ｄには、「めがね」を表す絵柄及び文字が示されている。カード（駒）６ｅには、「洋服」を表す絵柄及び文字が示されている。
【００１９】
また、カード（駒）６ｆには、「ティッシュ」を表す絵柄及び文字が示されている。カード（駒）６ｇには、「携帯電話」を表す絵柄及び文字が示されている。なお、図１では、７種類のカード６ａ，６ｂ，６ｃ，６ｄ，６ｅ，６ｆ，６ｇを例示しているが、カード６の種類に制限はない。例えば、各個人のライフスタイル等に合わせて判定の対象を追加できるように、物品が表示されていない無地のカード６等を用意しておくこともできる。
【００２０】
次に、このように構成された重要度判定ツール２の使用方法を説明する。図２は、重要度判定ツール２の使用態様を模式的に示す平面図である。例えば、備蓄対象の物品を選択する際には、この重要度判定ツール２を用いて物品の重要度を判定できる。具体的には、まず、物品の使用頻度及び必要度に応じて各カード６を表８内のマス目に配置する。
【００２１】
例えば、「めがね」の使用頻度が「１日に数回使う」であり、必要度が「やや我慢できる」であるとする。この場合、「めがね」を表すカード６ｄを、「１日に数回使う」と「やや我慢できる」とで規定される表８内のマス目に配置する。また、「たばこ」の使用頻度が「１日に数回使う」であり、必要度が「やや我慢できない」であるとする。この場合、「たばこ」を表すカード（駒）６ｈを、「１日に数回使う」と「やや我慢できない」とで規定される表８内のマス目に配置する。
【００２２】
同様に、「くすり」の使用頻度が「１週間に数回使う」であり、必要度が「我慢できない」であるとする。この場合、「くすり」を表すカード６ｃは、「１週間に数回使う」と「我慢できない」とで規定される表８内のマス目に配置される。更に、「トイレ」及び「携帯電話」の使用頻度が「１日に数回使う」であり、必要度が「我慢できない」であるとする。この場合、「トイレ」を表すカード６ｂ及び「携帯電話」を表すカード６ｇは、「１日に数回使う」と「我慢できない」とで規定される表８内のマス目に配置される。
【００２３】
そして、「洋服」の使用頻度が「常に使う」であり、必要度が「我慢できない」であるとする。この場合、「洋服」を表すカード６ｅは、「常に使う」と「我慢できない」とで規定される表８内のマス目に配置される。このように各カード６が表８内のマス目に配置された後には、マス目の柄（又は色）に基づいて、各物品の重要度を判定する。
【００２４】
上述したように、「１日に数回使う」と「やや我慢できる」とで規定されるマス目には、第１の柄（無地）が付されている。よって、この第１の柄に基づいて、「めがね」の重要度が低いと判定できる。
【００２５】
同様に、「１日に数回使う」と「やや我慢できない」とで規定されるマス目、「１週間に数回使う」と「我慢できない」とで規定されるマス目、「１日に数回使う」と「我慢できない」とで規定されるマス目、及び、「常に使う」と「我慢できない」とで規定されるマス目には、第３の柄（網掛けパターン）が付されている。よって、この第３の柄に基づいて、「たばこ」「くすり」「トイレ」「携帯電話」「洋服」の重要度が高いと判定できる。
【００２６】
以上のように、本実施形態に係る重要度判定ツール２は、縦横に複数のマス目８ａ，８ｂ，８ｃを有する表８が表示されたボード４と、判定の対象となる物品が表示された複数のカード（駒）６と、を備え、マス目８ａ，８ｂ，８ｃの縦軸（縦横の一方の軸）１０は、物品の使用頻度を表し、マス目８ａ，８ｂ，８ｃの横軸（縦横の他方の軸）１２は、物品の必要度を表すので、物品の使用頻度と必要度に対応するマス目８ａ，８ｂ，８ｃにカード６を配置するだけで、物品の重要度を簡単に判定できる。
【００２７】
また、本実施形態に係る重要度判定ツール２では、判定の対象となる物品が表示された複数のカード（駒）６を予め用意しているので、従来のように、使用した物品を思い出しながら列挙する必要がない。なお、各個人のライフスタイル等に合わせて判定の対象を追加できるように、物品が表示されていない無地のカード６を用意しておいても良い。また、コンタクトレンズの洗浄液や、生理用品、補聴器の電池といった日用品を表示するカード６を用意しておくのも効果的である。
【００２８】
更に、本実施形態に係る重要度判定ツール２では、判定の対象となる物品を絵柄等で表示した複数のカード６を備えるので、例えば、年齢の低い子供でも物品の重要度を適切に判定できる。この重要度判定ツール２は、備蓄対象の物品を選択する場合の他、引っ越しの際に持ち運ぶ物品を選択する場合や、廃棄する不要な物品を選択する場合等にも利用できる。
【００２９】
なお、本発明は上記実施形態の記載に限定されず、種々変更して実施可能である。例えば、ある物品に組み合わせて使用する物品が存在する場合には、それらの表示方法を変更することもできる。図３（Ａ）は、第１変形例に係るカード（駒）６を模式的に示す平面図であり、図３（Ｂ）は、第２変形例に係るカード（駒）６を模式的に示す平面図である。
【００３０】
図３（Ａ）に示すように、例えば、「たばこ」と共に使用される「ライター」が存在する場合には、組み合わせて使用するこれらの物品を１枚のカード（駒）６ｉに併せて表示しても良い。これにより、組み合わせて使用する物品（「タバコ」又は「ライター」）の一方を忘れてしまう可能性を低く抑えることができる。
【００３１】
同様に、図３（Ｂ）に示すように、「携帯電話」と共に使用される「充電器」が存在する場合には、「携帯電話」を表すカード６ｇと「充電器」を表すカード（駒）６ｊとに、組み合わせて使用する物品であることを示す目印１４を付しても良い。この場合にも、組み合わせて使用する物品（「携帯電話」又は「充電器」）の一方を忘れてしまう可能性を低く抑えることができる。
【００３２】
また、上記実施形態では、各カード（駒）６の表面に判定の対象となる物品を表示しているが、各カード（駒）６の表裏面に判定の対象となる物品を表示しても良い。同様に、上記実施形態では、ボード４の表面に表８を表示しているが、ボード４の表裏面に表を表示してもよい。この場合、例えば、ボード４の表面と裏面とに異なる表を表示すれば、重要度判定ツール２の用途を更に拡張できる。
【００３３】
また、表８の各マス目に対応する位置にくぼみ（凹部）等を設けて、カード（駒）６を配置し易くしても良い。同様に、ボード４やカード（駒）６に磁石等を配置し、又は、ボード４やカード（駒）６の一部を強磁性材料で形成しても良い。これらの場合にも、カード（駒）６を配置し易くなる。
【００３４】
また、カード（駒）６の一部を透明又は半透明な材料で形成し、カード６が配置された状態で各マス目に付された柄や色を識別し易くしても良い。また、ボード４に対してカード（駒）６を収容（又は、固定）できるように構成することで、カード（駒）６の紛失を防ぐこともできる。
【００３５】
その他、上記実施形態に係る構造、方法等は、本発明の目的の範囲を逸脱しない限りにおいて適宜変更して実施できる。
【符号の説明】
【００３６】
２  重要度判定ツール
４  ボード
６，６ａ，６ｂ，６ｃ，６ｄ，６ｅ，６ｆ，６ｇ，６ｈ，６ｉ，６ｊ  カード（駒）
８  表
８ａ，８ｂ，８ｃ  マス目
１０  縦軸（第１の軸、縦横の一方の軸）
１２  横軸（第２の軸、縦横の他方の軸）
１４  目印
【図１】
0006611603.tif 000002
【図２】
0006611603.tif 000003
【図３】
0006611603.tif 000004